(57)【要約】      （修正有）【課題】ジャムの発生後に搬送路を動かしてしまった場合であっても、搬送路に残留する媒体を確実に除去する手段を提供する。【解決手段】挿入された媒体を搬送する搬送路と、搬送路を搬送される媒体の通過を検出する複数の媒体検出センサ１５とを備え、顧客との取引を自動で行う現金自動預払機１において、媒体の搬送中に媒体検出センサ１５によりジャムの発生を検出した場合は、当該ジャムを検出した媒体検出センサ１５の属する部位をジャム発生箇所として表示し、ジャムの検出後に搬送路が動かされた場合は、ジャム発生箇所として表示した部位と、搬送路によって移動した媒体を検出した媒体検出センサ１５の属する部位とを要確認箇所として表示する。【選択図】図３
2014006815.tif 000002
【特許請求の範囲】
【請求項１】
顧客との取引を自動で行う自動取引装置において、
挿入された媒体を搬送する搬送路と、
前記搬送路を搬送される媒体の通過を検出する複数の媒体検出センサと、を備え、
媒体の搬送中に前記媒体検出センサによりジャムの発生を検出した場合は、当該ジャムを検出した媒体検出センサの属する部位をジャム発生箇所として表示し、
ジャムの検出後に前記搬送路が動かされた場合は、前記ジャム発生箇所として表示した部位と、前記搬送路によって移動した媒体を検出した媒体検出センサの属する部位とを要確認箇所として表示することを特徴とする自動取引装置。
【請求項２】
請求項１に記載の自動取引装置において、
前記搬送路による媒体の搬送は、当該媒体の処理の終了まで単独で搬送することを特徴とする自動取引装置。
【請求項３】
請求項１または請求項２に記載の自動取引装置において、
前記媒体は、単票からなる帳票であることを特徴とする自動取引装置。
【請求項４】
請求項１または請求項２に記載の自動取引装置において、
前記媒体は、通帳および単票からなる帳票であることを特徴とする自動取引装置。
【請求項５】
請求項４に記載の自動取引装置において、
搬送された前記２種類の媒体に所定事項の印字を兼用で行う印字部を設けたことを特徴とする自動取引装置。
【請求項６】
請求項１ないし請求項５に記載の自動取引装置において、
前記表示を、前記媒体検出センサの属する部位に代えて、前記媒体検出センサの設置位置によって行うことを特徴とする自動取引装置。
【発明の詳細な説明】
【技術分野】
【０００１】
本発明は、挿入された媒体を搬送して印字を行った後に当該媒体を排出する機能を有する媒体取扱装置を備え、顧客との取引を自動で行う自動取引装置に関する。
【背景技術】
【０００２】
従来の自動取引装置は、媒体を搬送する搬送路に、発光素子と受光素子とを対向配置した複数のセンサモジュールを設け、媒体が一つのセンサモジュールを通過してから一定時間の経過後に、次のセンサモジュールを通過しなかったことによってジャムの発生を検知したときに搬送路を停止させ、保守用表示部の画面にエラーコードとジャムが発生した場所を示すイラストランプとを表示し、係員はイラストランプが点灯していた付近の搬送路を確認してジャムを発生させた媒体を除去している（例えば、特許文献１参照。）。
【先行技術文献】
【特許文献】
【０００３】
【特許文献１】特開２０１０−８６４４１号公報（段落００２０−００２２、第２図、第１０図）
【発明の概要】
【発明が解決しようとする課題】
【０００４】
しかしながら、上述した従来の技術においては、ジャムの発生を検知したときに搬送路を停止させてジャムが発生した場所を示すイラストランプを表示しているため、ジャム発生後の保守時に手動または電動により搬送路を動かしてしまった場合には媒体が切断されてしまうことがあり、その切れ端が係員により除去されずに搬送路上に置去りにされてしまうと、次の取引でジャムを誘発したり、切れ端を顧客に排出してしまったりして、顧客との取引に支障が生ずるという問題がある。
【０００５】
このことは、媒体が重要帳票の場合には、切れ端が他の顧客に排出されてしまうと、情報漏洩に繋がる危険性があるため、特に問題になる。
本発明は、上記の問題点を解決するためになされたもので、ジャムの発生後に搬送路を動かしてしまった場合であっても、搬送路に残留する媒体を確実に除去する手段を提供することを目的とする。
【課題を解決するための手段】
【０００６】
本発明は、上記課題を解決するために、顧客との取引を自動で行う自動取引装置において、挿入された媒体を搬送する搬送路と、前記搬送路を搬送される媒体の通過を検出する複数の媒体検出センサとを備え、媒体の搬送中に前記媒体検出センサによりジャムの発生を検出した場合は、当該ジャムを検出した媒体検出センサの属する部位をジャム発生箇所として表示し、ジャムの検出後に前記搬送路が動かされた場合は、前記ジャム発生箇所として表示した部位と、前記搬送路によって移動した媒体を検出した媒体検出センサの属する部位とを要確認箇所として表示することを特徴とする。
【発明の効果】
【０００７】
これにより、本発明は、ジャムの検出後に搬送路を動かした場合であっても、係員はその表示範囲を確認すれば、搬送路に残留する媒体の切れ端を確実に発見して除去することができ、置去りにされた切れ端の他の顧客への排出による情報漏洩を確実に防止することができると共に、次の取引におけるジャムの誘発を防止することができ、保守後の自動取引装置による顧客との取引を円滑に行うことができるという効果が得られる。
【図面の簡単な説明】
【０００８】
【図１】実施例の現金自動預払機の外観を示す説明図
【図２】実施例の現金自動預払機の各部の配置を示す説明図
【図３】実施例の現金自動預払機を示すブロック図
【図４】実施例の媒体取扱部の構成を示す説明図
【図５】実施例の障害発生箇所表示画面の表示例を示す説明図
【図６】実施例の要確認箇所の障害発生箇所表示の表示例を示す説明図
【図７】実施例の要確認箇所の障害発生箇所表示の他の態様の表示例を示す説明図
【図８】実施例の要確認箇所の障害発生箇所表示の他の態様の表示例を示す説明図
【発明を実施するための形態】
【０００９】
以下に、図面を参照して本発明による自動取引装置の実施例について説明する。
【実施例】
【００１０】
以下に、図１ないし図８を用いて本実施例の現金自動預払機について説明する。
図１ないし図３において、１は自動取引装置としての現金自動預払機であり、銀行等の金融機関の支店や郵便局、コンビニエンスストア等の店舗に設置され、顧客との取引処理を自動で行う。
２は金融機関のセンタ等に設置された上位装置としてのホストコンピュータであり、店舗に設置されている現金自動預払機１と専用回線や電話回線等の通信回線３を介して接続しており、顧客の口座の金融機関名、店番号、口座番号、口座科目等の口座情報やその暗証番号、口座残高等の顧客情報を保有して顧客の口座を管理する。
【００１１】
５は現金自動預払機１の制御部であり（図３参照）、通信回線３を介してホストコンピュータ２と接続しており、現金自動預払機１内の各部を制御して取引処理等を実行すると共にデータ通信等も制御する。
６は現金自動預払機１の記憶部であり、制御部５が実行するプログラムやそれに用いる各種のデータおよび制御部５による処理結果等が格納される。
【００１２】
７は操作表示部であり、現金自動預払機１の前面に設けられ、ＬＣＤ等の表示画面とタッチパネル等の入力手段との組合せで構成されており、表示画面に取引選択画面や各種の入力画面、顧客の処置を促す画面等を表示する他、入力手段により顧客からの入力を受付ける。
８はカード取扱部であり、カード挿入口８ａから挿入された顧客のキャッシュカードやクレジットカード等の取引カードの磁気ストライプやＩＣチップ等に記録されている顧客の口座情報等のカード情報を読み書きする機能を有すると共に明細票等に取引内容等を印刷する機能等を有している。
【００１３】
９は媒体取扱措置としての媒体取扱部であり、紙葉類の単票からなる媒体である払込書等の帳票を挿入する媒体挿入口としての帳票挿入口９ａと冊子状の媒体である通帳を挿入する媒体挿入口としての通帳挿入口９ｂとが設けられ、帳票挿入口９ａから挿入された帳票に記載されている記載情報を読取る機能、通帳挿入口９ｂから挿入された顧客の通帳の磁気ストライプやＩＣチップ等に記録されている顧客の口座情報等の通帳情報を読み書きする機能、顧客の通帳や帳票に所定の事項の印字を行って顧客に排出する機能等を有しており、図４に示す構成を備えている。
【００１４】
１０は紙幣入出金部であり、入金取引時等に紙幣入出金口１０ａによって顧客が投入した紙幣を受入れ、これを鑑別および計数して収納庫に収納し、出金取引時等に収納庫から顧客に支払う紙幣を繰出し、これを計数して紙幣入出金口１０ａから排出して顧客に引渡す機能を有している。
１１は硬貨入出金部であり、入金取引時等に硬貨入出金口１１ａによって顧客が投入した硬貨を受入れ、これを鑑別および計数して収納庫に収納し、出金取引時等に収納庫から顧客に支払う硬貨を繰出し、これを計数して硬貨入出金口１１ａから排出して顧客に引渡す機能を有している。
【００１５】
１３は保守表示部であり、現金自動預払機１の背面側に設けられた図示しない保守扉の内側に設けられ、ＬＣＤ等の表示画面を有しており、表示画面に保守を担当する係員が行う業務処理や取引モードの設定等を行う業務選択画面や、ジャム発生箇所を部位で表示した障害発生箇所表示画面等を表示する機能を有している。
１４は保守扉開閉検出センサであり、保守扉の開放および閉鎖を検出して、その検出信号を制御部５へ出力する機能を有している。
１５は媒体検出センサであり、発光部と受光部を搬送路を挟んで対向配置した光学式のセンサであって、搬送路の所定の位置に複数配置され、発光部からの光を媒体が遮断したことを受光部が検知して媒体を検出し、その検出信号を制御部５へ出力する機能を有している。
【００１６】
図４において、２１は媒体挿入部としての帳票挿入部であり、帳票挿入口９ａから挿入された払込書等の帳票を取込む部位である。
２２は帳票記載情報読取部であり、帳票の記載事項を記載情報として読取る部位である。
２３は第１の保管庫としての郵送帳票保管庫であり、取引処理後に郵送することが必要な帳票を保管する部位である。
２４は第２の保管庫としての伝送帳票保管庫であり、電子データによる取引処理を終えた帳票を保管する部位である。
【００１７】
２５は媒体挿入部としての通帳挿入部であり、通帳挿入口９ｂから挿入された通帳を取込む部位であって、通帳の通帳情報を読み書きする磁気ヘッドや送受信機等の情報読書き手段が設けられている。
２６は改ページ部であり、通帳のページを捲るためのページ捲り機構が設けられており、記帳ページの最終行への印字を終えた場合において未記帳データが存在するときに次の記帳ページを開くための部位である。
２７は通帳記載情報読取部であり、通帳に記載されたページマークや印字行等を記載情報として読取る部位である。
【００１８】
２８は印字部であり、搬送された帳票および通帳への印字を一つの印字ヘッド２８ａで行う部位であって、通帳への未記帳データや取引内容等の所定事項の印字、および帳票への「処理済」等の所定事項の印字を兼用で行う機能を有している。
２９は第３の保管庫としての取忘れ媒体保管庫であり、媒体の返却時に、帳票挿入口９ａから排出された帳票または通帳挿入口９ｂから排出された通帳が、顧客により取忘れられた場合に、当該媒体が搬送されて保管される部位であって、印字部２８の取込方向の下流側に設けられている。
なお、本実施例では、帳票挿入口９ａまたは通帳挿入口９ｂから印字部２８に向けて搬送する場合の搬送方向を取込方向といい、その逆方向を返却方向という。
【００１９】
３０は帳票振分部であり、搬送された処理済の帳票の搬送方向を、郵送帳票保管庫２３または伝送帳票保管庫２４の方向へ振分ける部位であって、帳票の搬送方向を切替える切替ブレード等の切替機構が設けられている。
３１は帳票搬送路であり、帳票挿入口９ａから挿入された払込書等の帳票を、通帳搬送路３２と共用搬送路３３との合流部３４まで搬送する搬送路であって、ベルト対および／もしくはローラ対で帳票を搬送する。
【００２０】
通帳搬送路３２は、通帳挿入口９ｂから挿入された通帳を、合流部３４まで搬送する搬送路であって、ベルト対および／もしくはローラ対で通帳を搬送する。
共用搬送路３３は、帳票搬送路３１で搬送された帳票または通帳搬送路３２で搬送された通帳を合流部３４で受取って、印字部２８および取忘れ媒体保管庫２９へ搬送する搬送路であって、２種類の媒体を兼用で搬送することが可能なようにベルト対および／もしくはローラ対で形成されている。
【００２１】
上記した合流部３４には、媒体が取込方向に搬送されている場合に、帳票の搬送方向を帳票搬送路３１から共用搬送路３３へ、通帳の搬送方向を通帳搬送路３２から共用搬送路３３へ切替え、返却方向に搬送されている場合には各媒体の搬送方向を前記と逆方向へ切替える切替ブレード等の切替機構が設けられている。
３５は第１の収納搬送路であり、帳票振分部３０で振分けられた処理済の帳票を郵送帳票保管部２３へ搬送する搬送路であって、ベルト対および／もしくはローラ対で帳票を搬送する。
【００２２】
３６は第２の収納搬送路であり、帳票振分部３０で振分けられた処理済の帳票を伝送帳票保管部２４へ搬送する搬送路であって、ベルト対および／もしくはローラ対で帳票を搬送する。
上記の各搬送路には、それら搬送路を駆動するプーリやギア列を手動で動かすことができるノブが設けられており、係員はノブを回転させることにより、保守時における搬送路の状態を確認することができる。
【００２３】
また、各搬送路の所定の位置には、媒体検出センサ１５が設置されており、本実施例では、媒体検出センサ１５ａ〜１５ｈ、１５ｊ、１５ｋ、１５ｍ、１５ｎ、１５ｐ〜１５ｒの１５個の媒体検出センサ１５が設置されている。
媒体検出センサ１５ａは、帳票挿入部２１に属するセンサであって、帳票搬送路３１により取込まれる、または排出される帳票を検出する。
媒体検出センサ１５ｂ、１５ｃは、それぞれ帳票記載情報読取部２２に属するセンサであって、帳票搬送路３１を取込方向または返却方向に搬送される帳票を検出する。
【００２４】
媒体検出センサ１５ｄ、１５ｅは、それぞれ帳票振分部３０に属するセンサであって、帳票振分部３０を挟んで取込方向の上流側および下流側に配置され、帳票搬送路３１を取込方向または返却方向に搬送される帳票を検出する。
媒体検出センサ１５ｆ、１５ｇ、１５ｈは、それぞれ通帳挿入部２５に属するセンサであって、通帳搬送路３２を取込方向または返却方向に搬送される通帳を検出する。また、媒体検出センサ１５ｆは通帳搬送路３２により取込まれる、または排出される通帳を検出する。
【００２５】
媒体検出センサ１５ｊは、改ページ部２６に属するセンサであって、通帳搬送路３２を取込方向または返却方向に搬送される通帳を検出する。
媒体検出センサ１５ｋは、通帳記載情報読取部２７に属するセンサであって、通帳搬送路３２を取込方向または返却方向に搬送される通帳を検出する。
媒体検出センサ１５ｍ、１５ｎは、それぞれ印字部２８に属するセンサであって、共用搬送路３３を取込方向または返却方向に搬送される帳票または通帳を検出する。
【００２６】
媒体検出センサ１５ｐは、取忘れ媒体保管庫２９に属するセンサであって、共用搬送路３３を取込方向に搬送される帳票または通帳を検出する。
媒体検出センサ１５ｑは、郵送帳票保管庫２３に属するセンサであって、第１の収納搬送路３５を返却方向に搬送される帳票を検出する。
媒体検出センサ１５ｒは、伝送帳票保管庫２４に属するセンサであって、第２の収納搬送路３６を返却方向に搬送される帳票を検出する。
【００２７】
本実施例の現金自動預払機１の記憶部６には、顧客が選択した取引の入力を受付け、これを基にホストコンピュータ２と交信して顧客との取引処理を自動で行う機能等を有する通常の取引処理プログラムに、媒体取扱部９を用いた取引処理のときに、各媒体検出センサ１５により搬送される媒体の通過を監視し、ジャムの発生を検出したときに各搬送路を一旦停止させると共にそのジャム発生箇所を特定する機能、およびジャムの検出後にノブにより搬送路が動かされて媒体が移動した場合に、その移動範囲を表示して該当する搬送路の確認を促す機能等を有するアプリケーションプログラム等が追加された業務処理実行プログラムが予め格納されており、制御部５が実行する業務処理実行プログラムのステップにより本実施例の現金自動預払機１の各機能手段が形成される。
また、記憶部６には、帳票または通帳の搬送速度および各媒体検出センサ１５間の距離を基に設定された、隣合う２つの媒体検出センサ１５間の標準的な搬送時間からなる標準搬送時間が予め設定されて格納されている。
【００２８】
上記の構成を備えた現金自動預払機１の媒体取扱部９を用いた取引の取引処理について説明する。
金融機関の店舗の係員が、始業時等に現金自動預払機１へ電源を投入すると、現金自動預払機１の記憶部６に格納されている業務処理実行プログラムが自動的に起動される。
業務処理実行プログラムが起動すると、現金自動預払機１の制御部５は、操作表示部７の表示画面に、出金取引、入金取引、振込取引、通帳記帳取引等の取引を選択するための取引選択ボタンが表示された取引選択画面を表示して待機する。
【００２９】
以下に、顧客が持参した払込書を用いた振込処理について説明する。
顧客が操作表示部７の表示画面からタッチパネルによって払込書による振込取引を選択すると、制御部５は、操作表示部７の表示画面に支払方法の選択画面を表示し、顧客は取引カードによる支払いを選択する。なお、顧客が現金による支払いを選択した場合については後述する。
【００３０】
顧客が取引カードによる支払いを選択したことを認識した制御部５は、カード挿入口８ａへの取引カードの挿入を促す旨の文言等を表示し、顧客が取引カードをカード挿入口８ａに挿入すると、制御部５は、カード取扱部８によって取引カードからカード情報を読取る。
カード情報を読取った制御部５は、操作表示部７の表示画面に暗証番号入力画面を表示し、顧客が暗証番号を入力すると、制御部５は、操作表示部７の表示画面に帳票挿入口９ａへの払込書の挿入を促す旨の文言等を表示した払込書挿入依頼画面を表示し、顧客は払込書を帳票挿入口９ａに挿入する。
【００３１】
払込書挿入依頼画面の表示後に、帳票挿入部２１の媒体検出センサ１５ａが払込書の先端を検出するのを待って待機していた制御部５は、媒体検出センサ１５ａが挿入された払込書の先端を検出すると、帳票搬送路３１によって払込書を取込方向に帳票記載情報読取部２２へ搬送して払込書に記載された払込先の金融機関名や口座番号、払込金額、依頼人氏名等の記載情報を読取り、その後に払込書を帳票振分部３０を経由して帳票搬送路３１により合流部３４へ搬送して共用搬送路３３へ受渡し、共用搬送路３３により印字部２８へ搬送する。
【００３２】
前記の帳票記載情報読取部２２による記載情報の読取後に、制御部５は、読取った記載情報および手数料を操作表示部７の表示画面に表示し、顧客が記載情報等を確認すると、上記で入力された暗証番号および読取ったカード情報、確認された記載情報、手数料等をホストコンピュータ２へ送信し、ホストコンピュータ２から取引が成立した旨の返信を受信すると、印字部２８に搬送されている払込書に、印字ヘッド２８ａによって決裁日や処理済等の所定事項の印字を行い、印字を終えた払込書を共用搬送路３３によって返却方向に搬送し、合流部３４で帳票搬送路３１に受渡して帳票搬送路３１により帳票振分部３０へ搬送し、帳票振分部３０によって当該払込書を第２の収納搬送路３６へ受渡し、第２の収納搬送路３６により伝送帳票保管部２４へ搬送して集積し保管する。
【００３３】
また、制御部５は、ホストコンピュータ２から取引が成立した旨の返信を受信した後に、払込書の記載情報等を基にカード取扱部８によって取引内容を明細票に印刷し、操作表示部７の表示画面に取引カードや明細票の受取りを促す旨の文言を表示した明細票等受取依頼画面を表示して取引カードと明細票をカード取扱部８によって排出し、顧客の受取りを確認して今回の取引処理を終了させ、操作表示部７の表示画面に取引選択画面を表示して待機する。
【００３４】
一方、顧客が支払方法の選択時に現金による支払いを選択した場合は、顧客が現金による支払いを選択したことを認識した制御部５は、操作表示部７の表示画面に帳票挿入口９ａへの払込書の挿入を促す旨の文言等を表示した払込書挿入依頼画面を表示し、顧客は払込書を帳票挿入口９ａに挿入する。
【００３５】
払込書挿入依頼画面の表示後に、帳票挿入部２１の媒体検出センサ１５ａが払込書の先端を検出するのを待って待機していた制御部５は、上記取引カードによる支払いの場合と同様にして、挿入された払込書を帳票搬送路３１によって帳票記載情報読取部２２へ搬送して払込書の記載情報を読取り、その後に払込書を帳票搬送路３１および共用搬送路３３によって帳票振分部３０および合流部３４を経由して印字部２８へ搬送する。
【００３６】
前記の帳票記載情報読取部２２による記載情報の読取後に、制御部５は、読取った記載情報を操作表示部７の表示画面に表示し、顧客が記載情報を確認すると、制御部５は、操作表示部７の表示画面に確認された払込金額と手数料等および紙幣や硬貨の投入を促す旨の文言を表示すると共に紙幣入出金部１０の紙幣入出金口１０ａおよび硬貨入出金部１１の硬貨入出金口１１ａを開放し、顧客が紙幣や硬貨を投入すると、制御部５は各入出金口１０ａ、１１ａを閉鎖し、投入金額を計数してその合計金額等を操作表示部７の表示画面に表示し、顧客が表示された金額等を確認すると、制御部５は入金された紙幣や硬貨をそれぞれの収納部に収納する。
【００３７】
そして、制御部５は、入金された払込金額および手数料、確認された記載情報等をホストコンピュータ２へ送信し、ホストコンピュータ２から取引が成立した旨の返信を受信すると、印字部２８に搬送されている払込書に、印字ヘッド２８ａによって決裁日や処理済等の所定事項の印字を行い、印字を終えた払込書を共用搬送路３３によって合流部３４へ搬送し、帳票搬送路３１に受渡して帳票搬送路３１により帳票振分部３０へ搬送し、帳票振分部３０によって当該払込書を第１の収納搬送路３５へ受渡し、第１の収納搬送路３５により郵送帳票保管部２３へ搬送して集積し保管する。
【００３８】
また、制御部５は、ホストコンピュータ２から取引が成立した旨の返信を受信した後に、払込書の記載情報等を基にカード取扱部８によって取引内容を明細票に印刷し、釣銭を紙幣入出金部１０および硬貨入出金部１１からそれぞれ計数して繰出し、操作表示部７の表示画面に現金や明細票の受取りを促す旨の文言を表示した明細票等受取依頼画面を表示して、紙幣入出金口１０ａおよび硬貨入出金口１１ａを開放して現金を顧客に排出すると共に明細票をカード取扱部８によって排出し、顧客の受取りを確認して各入出金口１０ａ、１１ａを閉鎖し、今回の取引処理を終了させて操作表示部７の表示画面に取引選択画面を表示して待機する。
【００３９】
上記した払込書を用いた振込処理のときに、取引カードによる支払いにおいて口座残高不足等により取引が成立しなかった場合や、取引カードおよび現金による支払いにおいて払込書の取込後に顧客により取引が中止された場合は、制御部５は取込んだ払込書の返却処理を実行する。
【００４０】
すなわち、制御部５は、操作表示部７の表示画面に払込書を返却する旨の文言を表示し、印字部２８に搬送されている印字前の払込書を、共用搬送路３３によって返却方向に搬送し、合流部３４で帳票搬送路３１に受渡して帳票搬送路３１により帳票振分部３０、帳票記載情報読取部２２を経由して帳票挿入部２１へ搬送し、帳票挿入口９ａから払込書を排出する。また現金による支払いにおいて現金が投入されている場合は、紙幣入出金口１０ａおよび硬貨入出金口１１ａを開放して現金を顧客に排出する。
そして、制御部５は、帳票挿入部２１の媒体検出センサ１５ａが払込書の後端を検出したことによって顧客による払込書の受取りを認識し、今回の取引処理を終了させて操作表示部７の表示画面に取引選択画面を表示して待機する。
【００４１】
このとき、顧客が排出した払込書を取忘れた場合は、制御部５は、帳票挿入部２１の媒体検出センサ１５ａが所定の時間を経過しても払込書の後端を検出しなかったことによって顧客による払込書の取忘れを認識し、取忘れられた払込書を帳票搬送路３１により帳票記載情報読取部２２、帳票振分部３０を経由して取込方向に搬送し、合流部３４で払込書を共用搬送路３３に受渡し、共用搬送路３３により印字部２８を経由して取忘れ媒体保管庫２９へ搬送して集積し保管する。
【００４２】
以下に、顧客が持参した通帳に対する通帳記帳処理について説明する。
顧客が操作表示部７の表示画面からタッチパネルによって通帳記帳取引を選択すると、制御部５は、操作表示部７の表示画面に通帳挿入口９ｂへの通帳の挿入を促す旨の文言等を表示した通帳挿入依頼画面を表示し、顧客は記帳ページを開いた通帳を通帳挿入口９ｂに挿入する。
【００４３】
通帳挿入依頼画面の表示後に、通帳挿入部２５の媒体検出センサ１５ｆが通帳の先端を検出するのを待って待機していた制御部５は、媒体検出センサ１５ｆが挿入された通帳の先端を検出すると、通帳搬送路３２によって通帳を取込方向に搬送し通帳挿入部２５により通帳の通帳情報を読取った後に、改ページ部２６を経由して通帳記載情報読取部２７へ搬送して通帳に記載されたページマークや印字行の記載情報を読取り、その後に通帳を合流部３４で共用搬送路３３へ受渡し、共用搬送路３３により印字部２８へ搬送する。
【００４４】
前記の通帳挿入部２５による通帳情報の読取後に、制御部５は、読取った通帳情報等をホストコンピュータ２へ送信し、ホストコンピュータ２から未記帳データを取得すると、印字部２８に搬送されている通帳に、通帳記載情報読取部２７で読取った印字行の次の行から印字ヘッド２８ａによって未記帳データの印字を行い、改ページが必要な場合は通帳を共用搬送路３３によって返却方向に搬送し、合流部３４で通帳搬送路３２へ受渡して通帳記載情報読取部２７を経由して改ページ部２６へ搬送してページ捲りを行い、新たな記帳ページを開いた通帳を通帳搬送路３２により取込方向に通帳記載情報読取部２７に搬送し、ページマークや印字行の記載情報を読取って改ページされたページが正当であることを確認し、その後に通帳を合流部３４で共用搬送路３３へ受渡し、共用搬送路３３により印字部２８へ搬送して残余の未記帳データの印字を行う。
【００４５】
そして、全ての未記帳データの印字を終えた制御部５は、記帳済の通帳を共用搬送路３３によって合流部３４へ搬送し、通帳搬送路３２に受渡して通帳搬送路３２により通帳記載情報読取部２７、改ページ部２６を経由して通帳挿入部２５へ搬送し、通帳挿入口９ｂから記帳済の通帳を排出し、通帳挿入部２５の媒体検出センサ１５ｆが通帳の後端を検出したことによって顧客による通帳の受取りを認識し、今回の取引処理を終了させて操作表示部７の表示画面に取引選択画面を表示して待機する。
【００４６】
このとき、顧客が排出した通帳を取忘れた場合は、制御部５は、通帳挿入部２５の媒体検出センサ１５ｆが所定の時間を経過しても通帳の後端を検出しなかったことによって顧客による通帳の取忘れを認識し、取忘れられた通帳を通帳搬送路３２により改ページ部２６、通帳記載情報読取部２７を経由して取込方向に搬送し、合流部３４で共用搬送路３３に受渡し、共用搬送路３３により印字部２８を経由して取忘れ媒体保管庫２９へ搬送して集積し保管する。
【００４７】
上記した媒体取扱部９の各搬送路による媒体の搬送中に、制御部５は、各搬送路に設置された複数の媒体検出センサ１５により搬送される媒体の通過を監視しており、例えば払込書の返却処理において、１つの媒体検出センサ１５、例えば印字部２８の媒体検出センサ１５ｍが払込書の通過を検出してから、返却方向の下流側で隣合う位置に位置する帳票搬送路３１の媒体検出センサ１５ｅが、記憶部６に格納されている標準搬送時間を超えてもその通過を検出しないことによってジャムの発生を検出し、ジャム発生検出時に全ての搬送路を停止させると共に、最後に通過を検出した媒体検出センサ１５ｍをジャムを検出した媒体検出センサ１５と認識し、その媒体検出センサ１５ｍの属する部位である印刷部２８をジャム発生箇所として記憶部６に記憶する。
そして、制御部５は、ジャムの発生を保守を担当する係員の図示しない係員端末に表示する等により報知し、係員がジャムを発生させた現金自動預払機１に赴いて保守作業を行う。
【００４８】
この場合に制御部５は、ジャムの発生を検出し各搬送路を停止させたときに、記憶部６からジャム発生に該当する障害コードを読出し、各媒体検出センサ１５による監視を継続しながら保守扉開閉検出センサ１４が保守扉の開放を検出するのを待って待機し、保守扉開閉検出センサ１４が保守扉の開放を検出したときに、保守表示部１３の表示画面に図５に示す障害発生箇所表示画面を表示する。
障害発生箇所表示画面には、ジャム発生箇所の確認を促す旨の文言、ジャム発生を示す障害コード、この画面の終了を指示するための「終了」ボタン、装置の初期化動作の実行を指示するための「リセット」ボタン、および媒体取扱部９の各部位および搬送路を模式的に示した図にジャム発生箇所として認識した部位（上記の例では印字部２８）を明るい赤色で点灯させた障害発生箇所表示等が表示される。
【００４９】
係員は、障害発生箇所表示画面の障害発生箇所表示によりジャムの発生箇所を特定し、その近傍の搬送路等（上記の例では共用搬送路３３、合流部３４、媒体検出センサ１５ｅまでの間の帳票搬送路３１）を確認し、ジャムを発生させた媒体（上記の例では払込書）を除去する。
この場合に、係員がジャムを発生させた媒体を発見できない等の理由により、搬送路に設けられたノブにより搬送路を動かした場合は、制御部５は監視を継続している媒体検出センサ１５が、搬送路によって移動した媒体を検出したときに、当該媒体を検出した媒体検出センサ１５の属する部位も明るい赤色に点灯させて要確認箇所として表示する。
【００５０】
上記の例では、係員が共用搬送路３３および帳票搬送路３１をノブによって動かしたことによって払込書が切断され、その切れ端が帳票搬送路３１によって移動して、媒体検出センサ１５ｅ、１５ｄ、１５ｃが移動する媒体（例えば切れ端）の通過を検出した場合は、図６に示す障害発生箇所表示のように、ジャム発生箇所である印字部２８、媒体検出センサ１５ｅ、１５ｄが属する部位である帳票振分部３０、媒体検出センサ１５ｃが属する部位である帳票記載情報読取部２２が明るい赤色に点灯して係員に要確認箇所を表示する。
【００５１】
この障害発生箇所表示画面の障害発生箇所表示は、係員が「終了」ボタンを押下した場合を除き、保守扉開閉検出センサ１４が保守扉の閉鎖を検出するまで、つまり係員がジャムを発生させた媒体の除去を終え「リセット」ボタンを押下して保守扉を閉めるまで継続される。
他の処理動作における帳票または通帳の搬送中にジャムが発生した場合も、上記と同様にしてジャム発生箇所または要確認箇所が表示される。
【００５２】
なお、本実施例では、ジャムの発生後に、図６に示すように、ジャム発生箇所および搬送路によって移動した媒体を検出した媒体検出センサ１５の属する部位を全て明るい赤色に点灯させて要確認箇所として表示するとして説明したが、図７に示す障害発生箇所表示ように、ジャム発生箇所である印字部２８、移動した媒体の通過を検出した媒体検出センサ１５ｅ、１５ｄが属する部位である帳票振分部３０を輝度を暗くしてまたは色変えして表示し、最後に移動した媒体の通過を検出した媒体検出センサ１５ｃが属する部位である帳票記載情報読取部２２のみを明るい赤色に点灯して表示するようにしてもよい。
【００５３】
この場合において、いずれかの媒体検出センサ１５が移動した媒体の他方の切れ端を検出し続けているときは、例えば媒体検出センサ１５ｅが移動した媒体を検出し続けているときは、図８に示す障害発生箇所表示ように、媒体検出センサ１５ｅが属する部位である帳票振分部３０を明るい赤色に点灯して表示するようにしてもよい。
【００５４】
このように、本実施例では、搬送路による媒体の搬送が、当該媒体の処理が終了するまで一つの媒体のみを単独で搬送して処理するので、ジャム発生後の保守時に手動により搬送路が動かされて媒体が切断されたとしても、図６のように、搬送路により移動した媒体の移動範囲を障害発生箇所表示に要確認箇所として表示することができ、係員はその表示範囲を確認すれば、搬送路に残留する媒体の切れ端を確実に発見して除去することができ、置去りにされた切れ端の他の顧客への排出による情報漏洩を確実に防止することができると共に、次の取引におけるジャムの誘発を防止することができ、保守後の現金自動預払機１による顧客との取引を円滑に行うことができる。
【００５５】
また、図７のようにすれば、係員は少なくとも切れ端の一方が残留している可能性が非常に高い部位を容易に特定することができ、ジャムを発生させた媒体の除去作業の容易に行うことができる。
更に、図８のようにすれば、係員は少なくとも切れ端の一方が残留している可能性が非常に高い部位、および他方の切れ端が確実に残留している部位を容易に特定することができ、ジャムを発生させた媒体の除去作業をさらに容易に行うことができる。この場合に、係員は障害発生箇所表示を視認しながら搬送路を手動で動かせば、切れ端等の媒体の移動の様子を可視化することができ、切れ端等の媒体の残留位置をさらに容易に発見することができる。
【００５６】
なお、本実施例の媒体取扱部９のように、２種類の媒体である帳票および通帳を共に１つの印字部２８によって印字する装置の場合は、重要帳票を搬送している場合にジャムが発生し、保守時に搬送路を動かした結果帳票が切断され、一方の切れ端が置去りにされた場合は、他の顧客への切れ端の排出は、保守後の現金自動預払機１において、顧客が払込書を用いて取引を行い、その払込票を他の顧客に返却する場合に限らず、例えば印字部２８に切れ端が置去りにされた場合に、他の顧客が通帳を用いた取引を行うと、印字部２８に置去りにされた切れ端が、通帳のページ間に挟まって、または返却される通帳と共に他の顧客に排出されてしまう場合があるので、本発明は、２種類の媒体を共に１つの印字部２８によって印字する装置において、特に有効である。
【００５７】
以上説明したように、本実施例では、挿入された媒体を搬送する搬送路と、搬送路を搬送される媒体の通過を検出する複数の媒体検出センサとを備え、顧客との取引を自動で行う自動取引装置において、媒体の搬送中に媒体検出センサによりジャムの発生を検出した場合は、当該ジャムを検出した媒体検出センサの属する部位をジャム発生箇所として表示し、ジャムの検出後に搬送路が動かされた場合は、ジャム発生箇所として表示した部位と、搬送路によって移動した媒体を検出した媒体検出センサの属する部位とを要確認箇所として表示するようにしたことによって、ジャムの検出後に搬送路を動かした場合であっても、係員はその表示範囲を確認すれば、搬送路に残留する媒体の切れ端を確実に発見して除去することができ、置去りにされた切れ端の他の顧客への排出による情報漏洩を確実に防止することができると共に、次の取引におけるジャムの誘発を防止することができ、保守後の自動取引装置による顧客との取引を円滑に行うことができる。
【００５８】
なお、上記実施例においては、障害発生箇所表示を、媒体検出センサの属する部位を点灯させて表示するとして説明したが、ジャムを検出した媒体検出センサおよび移動する媒体を検出した媒体検出センサの搬送路上の設置位置を点灯させて表示するようにしてもよい。このようにしても上記と同様の効果を得ることができる。
なお、上記実施例においては、自動取引装置は現金自動預払機であるとして説明したが、帳票を単独で搬送して顧客との間の処理を自動で行う電子機器等の装置に本発明を適用すれば、上記と同様の効果を得ることができる。
【符号の説明】
【００５９】
１    現金自動預払機
２    ホストコンピュータ
３    通信回線
５    制御部
６    記憶部
７    操作表示部
８    カード取扱部
８ａ  カード挿入口
９    媒体取扱部
９ａ  帳票挿入口
９ｂ  通帳挿入口
１０  紙幣入出金部
１０ａ  紙幣入出金口
１１  硬貨入出金部
１１ａ  硬貨入出金口
１３  保守表示部
１４  保守扉開閉検出センサ
１５、１５ａ〜１５ｒ  媒体検出センサ
２１  帳票挿入部
２２  帳票記載情報読取部
２３  郵送帳票保管庫
２４  伝送帳票保管庫
２５  通帳挿入部
２６  改ページ部
２７  通帳記載情報読取部
２８  印字部
２８ａ  印字ヘッド
２９  取忘れ媒体保管庫
３０  帳票振分部
３１  帳票搬送路
３２  通帳搬送路
３３  共用搬送路
３４  合流部
【図１】
2014006815.tif 000003
【図２】
2014006815.tif 000004
【図３】
2014006815.tif 000005
【図４】
2014006815.tif 000006
【図５】
2014006815.tif 000007
【図６】
2014006815.tif 000008
【図７】
2014006815.tif 000009
【図８】
2014006815.tif 000010